(57)【要約】  圧力補助システム（１３８）は、ガス生成システム（１１２）、患者インタフェース装置（１４０）及びチューブ（１４２）を含む。前記フロー生成システムは、ガス源（１２４）、制御装置（１４４）及び第１の誘導コイルを含む。前記患者インタフェース装置（１４０）は、第２の誘導コイル（１４８）及び入力要素を含む。前記チューブが、前記フロー生成システムと前記患者インタフェース装置の間に、ガス源からガスフローを前記患者インタフェース装置へ輸送するために設けられる。前記チューブは、前記圧力補助システム制御装置の前記第１の誘導コイルと前記患者インタフェース装置の第２の誘導コイルの間にパワー及び／又はシグナルを伝達するように構成される第３の誘導コイルを含む。
2013509228.tif 000002
【特許請求の範囲】
【請求項１】
圧力補助システムであり、前記システムは：
（ａ）ガス生成システムであり、
（１）ガス源、
（２）制御装置、及び
（３）前記制御装置と操作的に結合する第１の誘導コイルを含む、ガス生成システム；
（ｂ）患者インタフェース装置であり、
（１）前記患者インタフェース装置と操作的に結合する入ロク要素、及び
（２）前記入力要素と操作的に結合し、前記患者インタフェース装置上に設けられる第２の誘導コイルをふくむ、患者インタフェース装置；及び
（ｃ）前記圧力補助システムと前記患者インタフェース装置の間に設けられるチューブを含み、
前記チューブが前記ガス源から前記患者インタフェース装置へ空気又はガスのヅローを運ぶように構成され、
前記チューブが、前記圧力補助システムの前記第１の誘導コイルと前記患者インタフェース装置の前記第２の誘導コイルとの間で、誘電結合されてパワー又はシグナルを伝達するように構成される第３の誘導コイルを含む、圧力補助システム。
【請求項２】
請求項１に記載の圧力補助システムであり、入力要素がセンサであり、前記患者インタフェース装置がフレームと前記フレームに結合されるクッションをふくむマスクアセンブリであり、かつ前記センサが前記クッション又は前記フレームと結合され、前記第２の誘導コイルと電気的に通じている、圧力補助システム。
【請求項３】
請求項２に記載の圧力補助システムであり、前記センサが、圧力、フロー、温度、振動、ｇ−力、筋電図（ＥＭＧ）、脳波（ＥＥＧ）、心電図（ＥＣＧ又はＥＫＧ）、ｐＨ、音及び身体位置を含む群から選択される生理学的現象を検出するように構成される、圧力補助システム。
【請求項４】
請求項１に記載の圧力補助システムであり、前記チューブがさらに、第１の端部、反対側の第２の端部及び前記第１の端部と前記反対側の第２の端部の間の細長いチューブを含み、かつ前記第３の誘導コイルが前記第１の端部、前記細長いチューブ及び前記反対側の第２の端部の回りに巻かれる、圧力補助システム。
【請求項５】
請求項１に記載の圧力補助システムであり、前記チューブがさらに、第１の端部、反対側の第２の端部及び前記第１の端部と前記反対側の端部との間の細長いチューブを含み、さらに前記第１の端部の回りに巻かれる第４の誘導コイル、前記細長いチューブの回りに巻かれる第５の誘導コイル、及び前記第２の端部の回りに巻かれる第６の誘導コイルを含む、圧力補助システム。
【請求項６】
請求項１に記載の圧力補助システムであり、前記圧力補助システム制御装置がさらにプロセッサを含み、前記プロセッサが少なくとも１つのパワー又は、レシーバ、トランスミッタ、トランシーバ及び電源を含むリストから選択される通信コンポーネントを含み、かつ前記少なくとも１つのパワー又は通信コンポーネントが前記第１の誘導コイルと電気的に通じている、圧力補助システム。
【請求項７】
請求項１に記載の圧力補助システムであり、前記圧力補助システム制御装置がさらに、
レシーバと電源を含むプロセッサを含み、
前記レシーバ及び電源が前記第１の誘導コイルと電気的に通じており、前記電源は前記入力要素へ、前記第１の誘導コイルと第３の誘導コイルとの間の、かつ前記第３の誘導コイルと前記第２の誘導コイルとの間の誘導結合を介してパワーを伝達し、かつ前記入力要素は前記レシーバへ、前記第１の誘導コイルと第３の誘導コイルとの間の、かつ前記第３の誘導コイルと前記第１の誘導コイルとの間の誘導結合を介してシグナルを送信する、圧力補助システム。
【請求項８】
請求項１に記載の圧力補助システムであり、
前記圧力補助システム制御装置がさらに、前記プロセッサが前記第１の誘導コイルと電気的に通じているトランスミッタを含むプロセッサを含み、前記入力要素が前記トランスミッタから複数の異なる状態の１つを含む制御シグナルを、前記第１の誘導コイルと前記第３の誘導コイルとの間の誘導結合及び前記第３誘導コイルと前記第２の誘導コイルとの間の誘導結合を介して受け取り、及び
前記入力要素が前記制御シグナルの前記異なる状態に異なるように応じるように構成される、圧力補助システム。
【請求項９】
請求項１に記載の圧力補助システムであり、
前記チューブがさらに第１の端部、反対側の第２の端部、及びさらに前記第１の端部と前記第２の端部の間に設けられるスイベルコンポーネントを含み、
前記スイベルコンポーネントが、前記第１のスイベル端部と反対側の第２のスイベル端部及びそれらの間のスイベル部材を含み、
前記チューブが前記第１の端部及び前記第１のスイベル端部の間に設けられる第１の細長いチューブ、かつ前記第２の端部と前記第２のスイベル端部の間に設けられる第２の細長いチューブを含み、かつ
さらに前記チューブの前記第１の端部の回りに巻かれる第４の誘導コイル、前記第１の細長いチューブの回りに巻かれる第５の誘導コイル、前記スイベルコンポーネントの周りに巻かれる第６の誘導コイル、前記第２の細長いチューブの回りに巻かれる第７の誘導コイル及び前記チューブの第２の端部の回りに巻かれる第８の誘導コイルを含む、圧力補助システム。
【請求項１０】
請求項９に記載の圧力補助システムであり、さらに、前記第１のスイベル端部の回りに巻かれる第９の誘導コイル及び前記第２のスイベル端部の回りに巻かれる第１０の誘導コイルを含む、圧力補助システム。
【請求項１１】
請求項９に記載の圧力補助システムであり、前記少なくとも１つの第３の誘導コイルが、前記スイベルコンポーネントの前記第１の端部の周りに巻かれる第１の誘導コイル部、前記スイベルコンポーネントの前記反対側の第２の端部の回りに巻かれる第２の誘導コイルを含み、かつ前記第１の誘導コイル部を前記第２の誘導コイル部に電気的に接続される電気スリップ接続を含む、圧力補助システム。
【請求項１２】
請求項１に記載の圧力補助システムであり、前記第３の誘導コイルが、前記チューブにより実行されるガスフローへ熱を生成するように構成される、圧力補助システム。
【請求項１３】
請求項１に記載の圧力補助システムであり、前記チューブが壁を持つ管であり、前記第３の誘導コイルの少なくとも一部分が前記壁に埋め込まれるか接着されている、圧力補助システム。
【請求項１４】
患者インタフェース装置であり、前記患者インタフェース装置は：
フレーム；
前記フレームに接続されるクッション：
前記フレームに回転可能に接続されるコネクタ部；
前記フレーム、前記クッション、前記コネクタ部又はそれらの組み合わせに操作的に結合される入力要素；及び
前記コネクタ部に操作的に結合され、前記入力要素と電気的に通じる第１の誘導コイルを含み、前記第１の誘導コイルが、前記第１の誘導コイル及び第２の誘導コイルの間のパワー、シグナル又は両方を伝達するように構成される、患者インタフェース装置。
【請求項１５】
患者にガスフローを与える方法であり、前記方法は：
第１の誘導コイルと入力要素を含む患者インタフェース装置を採用し；
第２の誘導コイルを持つガスフロー生成システムからガスフローを適用し；
前記ガスフロー生成システムから前記患者インタフェースへのガスフローを、前記ガスフロー生成システムから前記患者インタフェース装置間に結合されるチューブを介して流通させ、前記チューブが第３の誘導コイルを含み；及び
前記ガスフロー生成システム内の前記入力要素と制御装置間にパワー、シグナル又は両方を、第１及び第３の誘導コイルの間、及び第２の誘導コイル及び第３の誘導コイルとの間で誘導結合を介して伝達する、方法。
【請求項１６】
請求項１５に記載の方法であり、さらに、前記チューブ内で運ばれる前記ガスフローを温める熱生成第３の誘導コイルを含む、方法。
【発明の詳細な説明】
【技術分野】
【０００１】
本出願は、２００９年１０月２８日出願の米国仮特許出願６１／２５５６５１に基づき３５ＵＳＣ１１９条（ｅ）の優先権の主張を伴う。本出願内容はここに参照により援用される。
【０００２】
本発明は、圧力補助システムに関し、特に制御装置、呼吸チューブ、インタフェース装置、及び前記患者インタフェースと前記制御装置間に誘導的にパワー（電力）又はシグナルを伝達する方法を用いる圧力補助システムに関する。
【背景技術】
【０００３】
図１は従来の圧力補助システム５０を表し、これはブロアなどのガスフロー生成装置５２を含み、通常は連続的気道陽圧（ＣＰＡＰ）又は双方向レベル圧補助装置として使用される。システム５０は一般的には矢印Ｃで示される呼吸ガスを、適切なガス源、例えば酸素又は空気圧縮タンク又はそれらの組み合わせたガス源から受け取る。ガスフロー生成装置５２は、呼吸ガス、例えば空気、酸素又はそれらの混合物のフローを生成し、比較的高いか低い圧力、例えば通常は常圧と等しいか高い圧力で患者５４に輸送する。ガスフロー生成装置５２は、圧力範囲が約３〜３０ｃｍＨ２Ｏで呼吸ガスのフローを与えることができる。呼吸ガスの加圧フローは、矢印Ｄで示され、ガスフロー生成装置５２から、輸送管５６を介して、知られた構成の呼吸マスク又は患者インタフェース５８へ輸送される。これら呼吸マスク又は患者インタフェースは通常患者５４に装着されるか又は設置されて前記呼吸ガスのフローを患者５４の気道へ流通させる。輸送管５６は又、患者回路として当該技術分野では知られている。
【０００４】
圧力補助システム５０は、シングルリムシステムとして知られるものであり、これは前記患者回路が、患者を圧力補助システム５０に接続する１つだけの輸送管５６を含む、ことを意味する。さらに排気ベント５７が、輸送管５６内に、矢印Ｅで示されるように前記システムから呼気ガスを排気するために設けられる。排気ベント５７は輸送管５６内にこれに加えて又はこれに代えて他の位置、例えば患者インタフェース装置５８内に設けることも可能である。排気ベント５７は、広い範囲の構成上の変更が可能であり、ガスが圧力補助システム５０から排気される望ましい方法に依存する。
【０００５】
圧力補助システム５０は、輸送管５６に設けられるバルブ６０の形状で圧力制御装置を含む。バルブ６０は、フロー生成装置５２から患者５４に輸送される呼吸ガスフローの圧力を制御する。フロー生成装置５２及びバルブ６０は、一体で圧力生成システムと参照される。というのはこれらは協働して患者５４へ輸送されるガスの圧力及び／又はフローを制御するからである。しかし、患者５４へ輸送されるガスの圧力を制御するための他の技術、例えばフロー生成装置５２のブロア速度を変更する技術が適用され得る。従って、バルブ６０は、場合により、患者５４へ輸送される呼吸ガスのフローの圧力を制御するために使用される技術に依存する。バルブ６０が除去される場合、前記圧力生成システムはフロー生成装置５２のみに対応し、かつ前記患者回路のガスの圧力が、例えばフロー生成装置５２のモーター速度を制御することで制御される。
【０００６】
圧力補助システム５０はさらに、フローセンサ６２を含み、このセンサは輸送管５６内の呼吸ガスのフローを測定する。フローセンサ６２は、輸送管５６に沿って、最も好ましくはバルブ６０の下流に設けられる。フローセンサ６２はフローシグナルを生成し、前記フローシグナルは制御装置６４へ供され、制御装置６４により患者５４でのカスのフローを決める。もちろん患者５４の呼吸フローを測定するための他の技術が適用可能である。例えば患者５４で直接測定する、輸送管５６に沿った他の位置でフローを測定する、前記測定されたフローをフローセンサ（図示されていない）及び制御装置６４の間の直接電気的接続により交信する、フロー生成装置５２の操作に基づく患者フローを測定する、及びバルブ６０に上流のフローセンサ（図示されていない）を用いて患者フローを測定する、などである。
【０００７】
圧力補助システム５０は又制御装置６４へ操作的に接続される圧力センサ６８を含み、患者５４でガスの圧力を検出する。圧力センサ６８は患者インタフェース５８と輸送管５６を介して流通する。患者５４での圧力は、輸送管５６で生じる知られた圧力低下に基づいて評価される。又は、患者圧力は、患者インタフェース５８であって、そこに組み込まれた圧力センサ（図示されていない）を用いる、かつ前記測定された圧力をかかる圧力センサ（図示されていない）と制御装置６４との間の直接電気接続（図示されていない）により通信する患者インタフェースで直越測定され得る。
【０００８】
制御装置６４は、例えばマイクロプロセッサ、マイクロコントローラ又は他の適切なプロセッサ又は処理装置であり、これはメモリ（図示されていない）を含むか操作的にメモリと接続されており、前記メモリは圧力補助システム５０の操作を制御するための制御装置６４により実行可能なデータ及びソフトウェアのための記憶媒体を提供することができる。
【０００９】
入／出力装置６６は圧力補助システム５０により使用される種々のパラメータを設定するために設けられ、同様に、臨床医又は介護者などのユーザへ情報及びデータを表示及び出力するために設けられる。
【００１０】
圧力システム５０は本質的にＣＰＡＰ圧力補助システムとして作用し、従って患者５４へ適切なＣＰＡＰ圧力レベルを適用するためにかかるシステムで必要な可能性の全てを含む。これは、入力コマンド、シグナル、命令又は他の情報を介して、例えば最大及び最小ＣＰＡＰ圧力設定などの適切なＣＰＡＰ圧力を与えるために必要なパラメータを受け取ることを含む。
他の圧力補助方法には、限定されるものではないが、ＢＩＰＡＰ、ＡｕｔｏＳＶ、ＡＶＡＰＳ、ＡｕｔｏＣＰＡＰ及びＢｉＰＡＰＡｕｔｏなどを含む。
【００１１】
患者インタフェース５８でセンサを設けることは知られている。例えばＢｕｒｔｏｎの米国特許出願番号  １０／７７７，５７２（米国特許出願公開公報番号２００４／０１６３６４８）を参照。しかし、これらの２つの要素間に煩わしい配線接続を行うことなく、かかるセンサにより集められた情報を制御装置６４へ伝達することは１つの挑戦である。無線接続はまた、通常使用者に長時間装着される、患者インタフェース５８上に重い嵩張ったものが含まれることを低減することが望ましいという問題を提起する。その結果として、患者５８に又は患者５８上に、無線通信システムで通常使用される、電池、送受信装置及び他の装置を設けることは喜ばれない。
【先行技術文献】
【特許文献】
【００１２】
【特許文献１】米国特許出願公開公報番号２００４／０１６３６４８号明細書
【発明の概要】
【発明が解決しようとする課題】
【００１３】
本発明の課題は、これら従来の圧力補助システムの欠点を解消する、圧力補助システムを提供することである。
【課題を解決するための手段】
【００１４】
この課題は、本発明の１つの実施態様による圧力補助システムにより達成され、前記圧力補助システムは、ガスフロー生成システム、患者インタフェース装置及びチューブを含む。前記ガス生成システムはガス源、制御装置及び前記制御装置に結合される第１の誘導コイルを含む。前記患者インタフェース装置は、前記患者インタフェース装置に操作的に結合される入力要素を含み、及び第２の誘導コイルが操作的に入力要素と結合し、かつ前記患者インタフェース装置に設けられる。前記チューブは、前記圧力補助システム制御装置と患者インタフェース装置との間に設けられ、前記ガス源から前記患者インタフェース装置へ空気又はガスフローを移送するように構成される。前記チューブは、それと結合される第３の誘導コイルを含み、かつ前記圧力補助システム制御装置の前記第１の誘導コイルと前記患者インタフェース装置の前記第２の誘導コイルとの間にパワー又はシグナルを伝達するように構成される。
【００１５】
本発明のさらなる課題は、従来患者インタフェース装置の使用に関連する問題を解消する患者インタフェース装置を提供することである。この課題は患者インタフェース装置を提供することで達成される。前記患者インタフェース装置は、フレーム；前記フレームに接続されるクッション：前記フレームに回転可能に接続されるコネクタ部；前記フレーム、前記クッション、前記コネクタ部又はそれらの組み合わせに操作的に結合される入力要素；及び前記コネクタ部に操作的に結合され、前記入力要素と電気的に通じる第１の誘導コイルを含み、前記第１の誘導コイルが、前記第１の誘導コイル及び第２の誘導コイルの間のパワー、シグナル又は両方を伝達するように構成される。前記第１の誘導コイルは、前記第１の誘導コイルと第２の誘導コイル間でパワー、シグナル又はこの両方を伝達するように構成される。
【００１６】
本発明の他の課題は、従来の方法による不利を奏することのない、患者へのガスフローを与える方法を提供する。この課題は、患者にガスフローを与える方法を提供することにより達成され、前記方法は：第１の誘導コイルと入力要素を含む患者インタフェース装置を採用し；第２の誘導コイルを持つガスフロー生成システムからガスフローを適用し；前記ガスフロー生成システムから前記患者インタフェースへのガスフローを、前記ガスフロー生成システムから前記患者インタフェース装置間に結合されるチューブを介して流通させ、前記チューブが第３の誘導コイルを含み；及び前記ガスフロー生成システム内の前記入力要素と制御装置間にパワー、シグナル又は両方を、第１及び第３の誘導コイルの間、及び第２の誘導コイル及び第３の誘導コイルとの間で誘導結合を介して伝達する方法である。
【００１７】
本発明のこれらの及び他の条件、構成及び特徴、操作方法および関連する構成要素及び部品の組み合わせの機能及び製造の経済性は、添付図面、本明細書の部分を形成する全てを参照しつつ以下の記載及び特許請求の範囲を考慮して明らかとなるであろう。ここで類似の参照符号は種々の図面で対応する部品に付される。明確に理解するべきことは、図面は説明及び例示の目的のみであり、本発明を限定することを意図するものではない、ということである。明細書及び特許請求の範囲で使用される用語、「一つ」、「前記」は特に断らない限り複数を含む。
【図面の簡単な説明】
【００１８】
【図１】図１は、圧力補助システムの模式的ブロックダイヤグラムを示す。
【図２Ａ】図２Ａは、本発明による、マスクなどの患者インタフェース装置の立面図である。
【図２Ｂ】図２Ｂは、本発明による、マスクなどの患者インタフェース装置の立面図である。
【図３】図３は、本発明の他の実施態様による、圧力補助システムの立面図である。
【図４】図４は、本発明の他の実施態様による、誘導チューブの立面図である。
【図５】図５は、本発明の他の実施態様による、患者インタフェース装置、誘導チューブ及び圧力補助システムを含む換気システムの立面図である。
【図６】図６は、本発明の他の実施態様による  スイベルコネクタを含む誘導チューブの立面図である。
【図７】図７は、本発明の他の実施態様による他のスイベルコネクタの立面図である。
【図８】図８は、本発明の他の実施態様による他のスイベルコネクタの立面図である。
【図９】図９は、本発明の他の実施態様による誘導チューブの立面図である。
【発明を実施するための形態】
【００１９】
ここで用語「数」は１又は１を超える整数（即ち複数）を意味する。ここで用語「プロセッサ」とは、データを記憶、取り出し及び処理するプログラム可能なアナログ及び／又はデジタル装置；コンピュータ；ワークステーション；パーソナルコンピュータ；マイクロプロセッサ；マイクロコントローラ；マイクロコンピュータ；中心処理ユニット；メインフレームコンピュータ；ミニコンピュータ；サーバー；ネットワークプロセッサ；フィールドプログラム可能なゲートアレイ；コントローラー；又は適切な処理装置又は機器を意味する。
【００２０】
ここで用語「患者インタフェース装置」とは、前記ユーザの気道とガスフローを流通させる装置を意味し、例えば鼻腔マスク、口腔マスク、鼻腔／口腔マスク、鼻枕、鼻カニューレ、気管チューブ、気管内チューブ、適切な空気又はガスフロー流通機能を与える他の装置又は機器を意味する。
【００２１】
ここで用語「センサ」とは、例えば限定されるものではないが、圧力、フロー、熱、振動、ｇ力、筋電図検査（ＥＭＧ）、脳波（ＥＥＧ）、心電図（ＥＣＧ又はＥＫＧ）、ｐＨ、音及び身体位置などを検出する装置又は検出するように構成される装置を意味する。ここで用語「制御」とは制御装置、又は、例えば制限されるものではないが、バルブ；排気バルブ：他の器械的装置；及びその他のセンサ、回路及びソフトウェアの組み合わせなどを制御するように構成される機器を意味する。ここで「入力要素」とは、センサ、制御装置（前記規定）又はこれらの組み合わせを意味する。
【００２２】
ここで「チューブ」とは、管；輸送管；空気又はガスが流れるチューブ、パイプ、通路又はチャンネル；空気又はガスフロー流通機能を与える構造；及び患者又は患者インタフェース装置へ加圧呼吸空気又はガス源を接続する全ての他の構造、を意味する。
【００２３】
ここで用語「誘導」とは、回路、装置、機器又はチューブがインダクタンスを持つことを意味する。ここで、２以上を共に「カップル、結合」させるという記載は、前記部分を、直接か、又は１以上の中間部材を通じて連結することを意味する。ここで、２以上の電子部品が共に「電気的に結合、カップル」している、又は「電気的に通じている」とは、前記電子部品が共に直接電気的に結合されるか、又は１以上の中間電気部品又は導体（コンダクタ）を通じて共に接続される、ことを意味する。
【００２４】
図２Ａ及び２Ｂには、患者インタフェース装置の例１００及び１０２がそれぞれ示される。
図２Ａで、センサ又はコントロールなどの入力要素１０４が患者インタフェース装置１００内のクッション１０６へ接続されている。図２Ｂで、センサ又はコントロールなどの入力要素１０８が患者インタフェース装置１０２内のフレーム１１０へ接続されている。入力要素１０４、１０８により測定された物理現象は、例えば限定するものではないが、圧力、フロー、熱、振動、ｇ−力、筋電図検査（ＥＭＧ）、脳波（ＥＥＧ）、心電図（ＥＣＧ又はＥＫＧ）、ｐＨ、音及び身体位置を含む。入力要素１０４、１０８は、これらと操作的に関連する局所電子コンポーネント（図示されていない）を含み、又は逆にかかる電気コンポーネントは、別の圧力補助システム制御装置（例えば限定されるものではないが、図３で示されるように、コントロールユニット１１２など）に設けられ得る。
【００２５】
入力要素１０４、１０８が図示されているが、理解されるべきことは、全ての適切な数の入力要素（センサ、コントロール又はそれらの両方）もまた、図５に関して以下説明されるように適用され得るものである、ということである。図２Ａ及び２Ｂに示されるように、それぞれの入力要素１０４、１０８は電気的にそれぞれの誘導コイル１１４、１１６に電気コンダクタ１１８、１２０を介して通電されている。
【００２６】
図２Ａ及び２Ｂに示されるように、患者インタフェース１００及び１０２は前記フレームに結合されるコネクタ部１１９を含む。１つの例示的実施態様では、入力要素１０４、１０８はまた、図２Ａ及び２Ｂに示される場所に代わって、又は加えて、コネクタ部１１９上に設けられ得る。さらなる実施態様では、コネクタ部は回転可能にフレーム１１０に結合される。
【００２７】
図３に示されるように、ガスフロー生成システム１１２は、誘導コイル１２２、ガス源１２４（例えば、限定されるものではないが、ブロアなどのガス生成装置）、及び図５に関しての以下説明と関連する制御装置（１５４）を含む。
【００２８】
図４は誘導チューブ１２６を示し、これは患者インタフェース（１００，１０２）とガスフロー生成システム１１２との間に接続される。第１の端部１２８、反対側の第２の端部１３０及び前記第１の端部１２８と第２の端部１３０の間に設けられる細長いチューブ１３２を含む。通常は、第１の端部１２８又は第２の端部１３０はコネクタ部１１９に結合され、残る他の第１の端部及び第２の端部１３０は圧力生成システム１４４の出口へ結合される。誘導コイル１３４、又は複数の誘導コイルは、第１の端部１２８、細長いチューブ１３２及び反対側の第２の端部の周りに巻かれている。本発明は、細長いチューブ１３２が壁１３６を持つ管である（例えば円筒形状）。
【００２９】
誘導コイル１４３は前記チューブへ適切な技術、例えば限定されるものではないが、チューブ壁１３６に埋め込む、接着される、包まれるか、を用いて付設又は結合されるか、又は前記壁に保持される。理解されるべきことは、誘導コイルはまた、チューブコネクタ（例えば限定されるものではないが、図５のチューブコネクタ１５６、１５８）、チューブカフ（例えばチューブ端部１２８，１３０）及び／又はチューブスイベル（例えば限定されるものではないが、図６のスイベルコネクタ１７０）直の内に埋め込まれるか、適切に接着され得る、ということである。
【００３０】
図５で、圧力補助システム１３８は、患者インタフェース装置１４０，誘導チューブ１４２，及びガスフロー生成システム１４４を含み、これは図３の例示したガスフロー生成システムと同じであってよい。ガスフロー生成システム１４４は、誘導コイル１４６及びガス源（図示されていないが、図３のガス源１２４を参照）を含む。患者インタフェース装置１４０は、誘導コイル１４８及び少なくとも１つの入力要素１５０を含む。誘導チューブ１４２はガスフロー生成システム１４４と患者インタフェース装置１４０の間に設けられる。図４の誘導チューブ１２６と類似して、誘導チューブ１４２は、前記ガス源ガスフロー生成システム１４４からガスフローを患者インタフェース装置へ提供するように構成される。チューブ１２６（図４）と類似して、チューブ１４２は、それに結合され、パワー及び／又はシグナルを伝達するように構成される誘導コイル１５２を、ガスフロー生成システム１４４の誘導コイル１４６と患者インタフェース装置１４０の誘導コイル１４８との間に含む。
【００３１】
圧力補助システム制御装置１４４の入力要素１５０及びプロセッサコンポーネント１５４は、誘導コイル１４８及び１４６とそれぞれ電気的に通じている。例えば、誘導コイル１４８、１４６は、対応するチューブコネクタ１５６、１５８のそれぞれの回りに数回巻かれる適切なコンダクタを含む。例えば、誘導コイルのそれぞれの隣接対１４８、１５２及び１５２、１４６は、間に直接の電気的接続がないように適切に接近している。例えば、制御装置の端部（図５に関して右手）又は入力要素端部（図５に関して左手）において及びそれぞれの誘導コイル１４６、１４８との電通において、１以上のレシーバ、トランスミッタ、トランシーバ及び電源などが設けられ得る。
【００３２】
例えば、限定されるものではないが、プロセッサコンポーネント１５４は、トランシーバ（ＴＸ／ＲＸ）１６０及び電源１６２を含み、及びいくつかのセンサ又はコントロール１５０がトランシーバ１６４及び電源１６６を含む。以下説明されるように、電源１６２は、パワーを、圧力補助システム制御装置１４４と患者インタフェース装置１４０の誘導コイルの間のいくつかの誘導コイル１５２を通じて電源１６６へ伝達する（例えば限定されるものではないが、いくつかのセンサ又はコントロール１５０へパワーを送る）。また、トランシーバ１６０はいくつかのシグナルを、圧力補助システム制御装置１４４と患者インタフェース装置の誘導コイルの間のいくつかの誘導コイル１５２を介して、患者インタフェース装置１４０へ又はそこから、送信又は受信することができる。本発明の原理による圧力補助システムの他の非限定的な例示構成が以下説明される。
【００３３】
例１
１つの実施態様で、入力要素１５０は誘導コイル１４８と電気的に通電するセンサである。電源１６２はかかるセンサにパワーを、誘導コイル１４６と誘導コイル１５２の間、及びいくつかの誘導コイル１５２と誘導コイル１４８の間の誘導結合を介して伝達する。トランシーバ１６４のトランスミッタはシグナルを、制御装置トランシーバ１６０へ、誘導コイル１４８及び誘導コイル１５２の間、及び誘導コイル１５２と誘導コイル１４６の間の誘導結合を介して送信する。
【００３４】
例２
入力要素１５０は誘導コイル１４８と通電するコントロールである。電源１６２はかかるコントロールへパワーを、誘導コイル１４６と誘導コイル１５２の間、及び誘導コイル１５２と誘導コイル１４８の間の誘導結合を介して伝達する。コントロールトランスーバ１６４のレシーバはいくつかのシグナルを、制御装置トランシーバ１６０のトランスミッタ（ＴＸ）から、誘導コイル１４６と誘導コイル１５２の間及び誘導コイル１５２と誘導コイル１４８の間の誘導結合を介して受信する。
【００３５】
例３
入力要素１５０は、センサ及びコントロールの組み合わせであり、これらは両方とも誘導コイル１４８と通電されている。電源１６２はかかるセンサ及びコントロールにパワーを、誘導コイル１４６と誘導コイル１５２とｎ間、及び誘導コイル１５２と誘導コイル１４８との間の誘導結合を介して伝達する。コントロールトランシーバ１６４のレシーバはシグナルを制御装置トランシーバ１６０から、誘導コイル１４６と誘導コイル１４６の間、及び誘導コイル１５２と誘導コイル１４８の間の誘導結合を介して受信する。トランシーバ１６４のトランスミッタはシグナルを制御装置トランシーバのレシーバへ、誘導１４８と誘導コイル１５２との間、及び誘導コイル１５２と誘導コイル１４６との間の誘導結合を介して送信する。
【００３６】
例４
入力要素１５０が誘導コイル１４８と通電されている。前記入力要素は、制御装置トランシーバ１６０のトランスミッタから複数の異なる状態の１つを持つ制御シグナルを、誘導コイル１４６と誘導コイル１５２との間及び誘導コイル１５２と誘導コイル１４８との間の誘導結合を介して受信する。例えば、かかる入力要素は、制御シグナルの異なる状態に相違するように対応するように構成され得る（例えば限定されるものではないが、異なる周波数；異なるシグナル強度）。例えば、圧力補助システム（１３８など）は、患者気道輸送の必要性の変化に対応するために治療モードを切り替えることができる。これは、輸送される圧力レベルの変更、又は患者の呼吸パターンに比較して空気輸送波の同調性を変更することなどである。患者インタフェース装置１４０の湿度センサによる患者の呼気の湿度の変化は、例えば圧力補助制御システム１３８の湿度制御を調節させるきっかけとなり得る。逆に、患者インタフェース装置１４０のマスク内に設けられた湿度センサが凝縮水分を検知すると、前記システム湿度は有利にはより凝縮水分を除去するように低減され得る。
【００３７】
例５
この例では、本発明は、誘導コイル１５２が、誘導コイル１４２を通るガスフローを温めるために熱を生成させるように構成される、ことを含む。電源１６２はパワーを誘導コイル１５２へ、誘導コイル１４６といくつかの誘導コイル１５２との間の誘導結合を介して伝達する。前記誘導チューブは、誘導コイル１５２から前記チューブ内へ熱を伝達させる材料から形成され得る。
【００３８】
例６
前記例の誘導チューブ１２６（図４）又は１４２（図５）は、適切な誘導リンク又は誘導要素を与え、これにより空気ギャップを越えてエネルギー及び／又はデータの伝達を可能とする（例えば限定されるものではないが、誘導コイル１４６及び／又は１４８から及び／又は誘導コイル１４６及び／又は１４８へ）例えば患者インタフェース装置１４０へ伝達される電力はそのパワー要素であり得る（例えば限定されるものではないが、センサ、コントロールなど）。かかるパワーは、例えば限定されるものではないが、それについてふらつき又は周期性を持ち得る（例えば正弦波に類似の）。この変動は、前記パワーに影響を与えないように構成され得るが、しかし例えば限定されるものではないが制御シグナルとして構成され得る（例えば限定されるものではないがキャリア波など）。例えば、患者インタフェース装置１４０でのセンサ又はコントロールは、前記制御装シグナルの状態（例えば限定されるものではないが、周波数）に依存して異なる方法で挙動するように構成され得る。
【００３９】
例えば図５に示されるように、制御装置トランシーバ１６０及び制御装置電源１６２はそれぞれ、いくつかのセンサ又はコントロール１５０及びそれらへの電源からのいくつかのシグナルを伝達し得る。また、制御装置トランシーバ１６０は、いくつかのセンサ又はコントロール１５０のいくつかのシグナルを伝達し得る。トランシーバ、電源及び電気供給装置の非限定的例示が米国特許番号５，６３０，８３６及び６，０５８，３３０に開示され、これらの内容は参照されて本明細書に援用される。
【００４０】
患者インタフェース装置１４０及び例示圧力補助システム制御装置１４４が例示誘導チューブ１４２へ結合されると、パワー及びデータ伝達リンクが形成され、これにより検出／制御機能が奏されるようになる。かかる先進性の副産物は、改良された治療のための先進装置制御である（例えば限定されるものではないが、より好ましい生理学的シグナル（例えば限定されるものではないが、マスク上で測定されたシグナル；患者インタフェース装置で測定されたシグナル）を持つことは、治療装置が生理学的要求によりよく応じることを可能とする）。最も知られた呼吸装置はこの機能を持たない。というのは患者応答は通常、治療装置、制御装置で測定され、又は従来のチューブの非患者側で測定されるからである。センサがマスク上に設けられる場合、そのセンサシグナルは治療装置、制御装置又はチューブの非患者側へ直接電気接続を介して送信されて戻される。
【００４１】
例７
図６は本発明の原理による誘導チューブ１７２の他の変形としてのスイベルコネクタ１７０の１例を示す。この例示実施態様では、誘導チューブ１７２は、第１の端部１７４、反対側の第２の端部１７６、例としてスイベルコネクタ１７０などのスイベルコンポーネントであって、第１の端部１７８、反対側の第２の端部１８０及びそれらの間のスイベル部材１８２であって、誘導チューブ１７２の第１の端部１７４と例示スイベルコネクタ１７０の第１の端部１７８との間に設けられる第１の細長いチューブ１８４、及び誘導チューブ１７２の反対側の第２の端部１７６と例示スイベルコネクタ１７０の反対側第２の端部との間に設けられる第２の細長いチューブ１８６、を含むスイベル部材１８２、を含むスイベルコンポーネントを含む。誘導チューブ１７２は、誘導チューブ１７２の第１の端部１７４周りに巻かれる第１の誘導コイル１８８、第１の細長いチューブ１８４の回りに巻かれる第２の誘導コイル１９０、例示スイベルコネクタ１７０の回りに巻かれる第３の誘導コイル１９２、第２の細長いチューブ１８６の回りに巻かれる第４の誘導コイル１９４、及び誘導チューブ１７２の反対側第２の端部１７６周りに巻かれる第５の誘導コイル１９６を含む。
【００４２】
例８
例えば限定されるものではないが、第３の誘導コイル１９２は、例示スイベルコネクタ１７０の第１の端部１７８の回りに巻かれる誘導コイル１９８、例示スイベルコネクタ１７０の反対側の第２の端部１８０の回りに巻かれる他の誘導コイル２００であってよい。
【００４３】
例９
本発明は、誘導チューブ１７２及び患者インタフェース装置とのスイベル結合を提供することを含む。本発明はさらに、誘導チューブ１７２及び圧力生成システムとの間のスイベル結合を提供することを含む。例えば、スイベルジョイントは、前記マスクと前記ブロアとの間のトルクを開放し得る。この理由で、例７及び８に関連して説明した通り、誘導結合技術がまたかかるスイベル接続について適用され得る。これにより、マスク及びブロアとの間のトルクを開放するための適切なスイベル接続によりマスク及びブロアの間の誘導チューブの回転接続を可能とする。
【００４４】
例１０
図６で、第３の誘導コイル１９２は、スイベル部材１８２を横切り追加の誘導要素（例えば限定されるものではないが、誘導コイル）、又は適切なスリップ接続（例えば限定されるものではないが、ブラシタイプ電気接続）であって２つの別の導電体要素（例えば限定されるものではないが、１９８、２００などの誘導コイル）をスイベル部材１８２のいずれかの側に接続するものを、含む。
【００４５】
例１１
図７には、例としてスイベルコネクタ２０２などの他のスイベルコンポーネントが示される。この例では例７での第３の誘導コイルが、第１の端部回りに巻かれる第１の誘導コイル部２０４、反対側の第２の端部２０７に巻かれる第２の誘導コイル部２０６，及び第１の誘導コイル部２０４を第２の誘導コイル部２０６へ電気的に接続し、さらにスイベル部材２０９が適切に回転し得る、電気的スリップ接続２０８（例えば限定されるものではないが、ブラシタイプ電気接続）を含む。
【００４６】
例１２
図８は、例としてスイベルコネクタ２１０などの他のスイベルコンポーネントを示す。この例では、スイベルコネクタ２１０は、第１の端部２１４及び反対側の第２の端部２１６との間に設けられた複数のスイベル部材２１２を含む。例７の第３の誘導コイル１９２は、第１の端部２１４の回りに巻かれる第１の誘導コイル、複数のスイベル部材２１２の間に巻かれる少なくとも１つの第２の誘導コイル２２０、及び反対側の第２の端部２１６の回りに巻かれる第３の誘導コイル２２２を含む。
【００４７】
ここで例として、複数のスイベル（例えば限定されるものではないが、２つのスイベル２１２Ａ、２１２Ｂ及び３つの誘導コイル２１８、２２０、２２２）が、患者の要求が１２６、１４２、１７２などの誘導チューブのトルクからさらなる自由度を必要とする場合、適用され得る。
【００４８】
例１３
図９では、誘導チューブ１２６’は、前記の通り単一の誘導コイル１３４を含む図４の誘導チューブ１２６とある程度類似する。これとは対照的に誘導チューブ１２６’は２つの追加の誘導コイル２２４、２２６を反対側の端部２２８、２３０にそれぞれ含む。誘導チューブ１２６’はさらに、反対側端部２２８、２３０の間に設けられる細長いチューブ２３２（例えば限定されるものではないが、呼吸チューブを形成する）を含む。ここで誘導チューブの数は、第１の端部２２８の回りに巻かれる第１の誘導コイル２２４、細長いチューブ２３２の回りに巻かれる第２の誘導コイル１３４’、及び反対側の第２の端部２３０に巻かれる第３の誘導コイル２２６を含む。
【００４９】
開示される誘導チューブ１２６、１４２、１７２、１２６’は、患者インタフェース装置、チューブ及びブロアが容易に接続されかつ脱接続されることを可能とする。この方法で、かかる誘導チューブはその構造において本質的に強化された可能性（機能性）を持つ。この理由で、空気又はガス管の目的のために、これは、かかる誘導チューブを有さない従来のチューブと正確に機械的に同じ機能を奏することとなる。さらに、これは、連続陽圧気道（ＣＰＡＰ）治療のために、制御装置での電源へ直接の電気接続のための電気コネクタを用いる従来の加熱チューブよりも顕著な利点を有する。
【００５０】
さらに開示された誘導チューブ１２６、１４２、１７２、１２６’は、かかる導電体を非効率にして廃熱を生成させるために適切に構成される（例えば限定されるものではないが、適切な導体ゲージ；いくつかのラップや巻数；チューブ長さにわたる全体的な導電体抵抗）。従って、誘導チューブ１２６、１４２、１７２、１２６’はまた、同時に又は選択的に前記チューブを加熱することができる。これは利点である。というのは加熱されたチューブは患者の比較的温かい空気又はガスを輸送する際により好ましく感じるからであり、同様に、より温かい空気はより湿気を含むことができるからである。
【００５１】
さらに、開示される誘導チューブ１２６、１４２、１７２、１２６’は直接電気接続が必要ないものであり、これらの「接続」の信頼性は、従来の直接電気接続を使用する機械的電気接続よりも非常に高いものである。これは、かかる機械的電気接続はしばしばその構造が変形（例えば限定されるものではないが、接触スプリングでの曲がり及び／又は変形などの機械的変形；接触部腐食；接触部での酸化など）する結果として異常機能し得るので単一故障の電気接続であると見られているからである。言い換えると疲労するということでる。
【００５２】
開示される誘導チューブ１２６、１４２、１７２、１２６’は、いくつかの入力要素（即ちセンサ及び／又はコントロール）が直接電気的接続することなく通電され得るものであり、それによりかかるいくつかのセンサ及びコントロールとＣＰＡＰブロアなどの制御ユニットとの間でシグナル通信を可能とする。かかる誘導チューブは、例えば圧力補助システムと、マスクなどの患者インタフェース装置のいくつかのセンサ及びコントロールとの間にパワー及び／又はデータを伝達することを可能とする。この非直接接続は、シグナルとパワーの信頼性のある伝達を可能とする。この方法で、かかる誘導チューブは１以上のシグナル及びパワー伝達を提供するために適用され得る。従来の非誘導チューブは、コストを下げるため、又は高度な治療機能が要求されない場合にかかる誘導チューブで交換され得る。しかしかかる従来の非誘導チューブは、患者はＣＰＡＰ治療をなお受けることはできるが、かかる誘導チューブにより可能となる先進機能を提供することはない。
【００５３】
ＣＰＡＰ補助システムは開示されているが、全ての空気又はガス圧力補助システム（例えば限定されるものではないが、呼吸チューブを適用する医学治療）が、開示される誘導チューブ１２６、１４２、１７２、１２６’を、例えば限定されるものではないがシングルリム又は２リム（又はデュアルリム）システムで利用することが可能である。
【００５４】
これまで本発明は、現在最も実際的であると考えるものに基づいて説明され、例示する目的で詳細に説明された。しかし理解されるべきは、かかる詳細はそれらの目的のためだけであり、本発明は開示された実施態様に限定されるものではなく、逆に本発明の本質および特許請求の範囲内の変更や変法及びそれらと均等な構成を全て含むものである、ということである。例えば理解されるべきは、本発明は、可能な範囲で、全ての実施態様の１以上の構成が他の全ての実施態様の１以上の構成と組み合わせることができる、ということである。
【図１】
2013509228.tif 000003
【図２Ａ】
2013509228.tif 000004
【図２Ｂ】
2013509228.tif 000005
【図３】
2013509228.tif 000006
【図４】
2013509228.tif 000007
【図５】
2013509228.tif 000008
【図６】
2013509228.tif 000009
【図７】
2013509228.tif 000010
【図８】
2013509228.tif 000011
【図９】
2013509228.tif 000012
【手続補正書】
【提出日】平成24年5月2日(2012.5.2)
【手続補正１】
【補正対象書類名】特許請求の範囲
【補正対象項目名】全文
【補正方法】変更
【補正の内容】
【特許請求の範囲】
【請求項１】
圧力補助システムであり、前記システムは：
（ａ）ガス生成システムであり、
（１）ガス源、
（２）制御装置、及び
（３）前記制御装置と操作的に結合する第１の誘導コイルを含む、ガス生成システム；
（ｂ）患者インタフェース装置であり、
（１）前記患者インタフェース装置と操作的に結合する入力要素、及び
（２）前記入力要素と操作的に結合し、前記患者インタフェース装置上に設けられる第２の誘導コイルをふくむ、患者インタフェース装置；及び
（ｃ）ガスフロー生成システムと前記患者インタフェース装置の間に設けられるチューブを含み、
前記チューブが前記ガス源から前記患者インタフェース装置へ空気又はガスのフローを運ぶように構成され、
前記チューブが、前記ガスフロー生成システム制御装置と前記患者インタフェース装置との間の細長い長さを持つ細長いチューブと、及び前記ガスフロー生成システム制御装置の前記第１の誘導コイルと前記患者インタフェース装置の前記第２の誘導コイルとの間でパワー又はシグナルが誘電結合されるように構成される、前記細長い長さに沿って前記細長いチューブに結合される第３の誘導コイルを含む、圧力補助システム。
【請求項２】
請求項１に記載の圧力補助システムであり、入力要素がセンサであり、前記患者インタフェース装置がフレームと前記連れームに結合されるクッションをふくむマスクアセンブリであり、かつ前記センサが前記クッション又は前記フレームと結合され、前記第２の誘導コイルと電気的に通じている、圧力補助システム。
【請求項３】
請求項２に記載の圧力補助システムであり、前記センサが、圧力、フロー、温度、振動、ｇ−力、筋電図（ＥＭＧ）、脳波（ＥＥＧ）、心電図（ＥＣＧ又はＥＫＧ）、ｐＨ、音及び身体位置を含む群から選択される生理学的現象を検出するように構成される、圧力補助システム。
【請求項４】
請求項１に記載の圧力補助システムであり、前記チューブがさらに、第１の端部、反対側の第２の端部及び前記第１の端部と前記反対側の第２の端部の間の前記細長いチューブを含み、かつ前記第３の誘導コイルが前記第１の端部、前記細長いチューブ及び前記反対側の第２の端部の回りに巻かれる、圧力補助システム。
【請求項５】
請求項１に記載の圧力補助システムであり、前記チューブがさらに、第１の端部、版端側の第２の端部及び前記第１の端部と前記反対側の端部との間の細長いチューブを含み、さらに前記第１の端部の回りに巻かれる第４の誘導コイル、前記細長いチューブの前記細長い長さの回りに巻かれる第５の誘導コイル、及び前記第２の端部の回りに巻かれる第６の誘導コイルを含み；
前記第４の誘導コイルが前記第５の誘導コイルと電気的に接続されず、かつ前記第５の誘導コイルが前記第６の誘導コイルと電気的に接続されない、圧力補助システム。
【請求項６】
請求項１に記載の圧力補助システムであり、前記ガスフロー生成システム制御装置がさらにプロセッサを含み、前記プロセッサが少なくとも１つのパワー又は、レシーバ、トランスミッタ、トランシーバ及び電源を含むリストから選択される通信コンポーネントを含み、かつ前記少なくとも１つのパワー又は通信コンポーネントが前記第１の誘導コイルと電気的に通じている、圧力補助システム。
【請求項７】
請求項１に記載の圧力補助システムであり、前記ガスフロー生成システム制御装置がさらに、レシーバと電源を含むプロセッサを含み、前記レシーバ及び電源が前記第１の誘導コイルと電気的に通じており、前記電源は前記入力要素へ、前記第１の誘導コイルと第３の誘導コイルとの間の、かつ前記第３の誘導コイルと前記第２の誘導コイルとの間の誘導結合を介してパワーを伝達し、かつ前記入力要素は前記レシーバへ、前記第１の誘導コイルと第３の誘導コイルとの間の、かつ前記第３の誘導コイルと前記第１の誘導コイルとの間の誘導結合を介してシグナルを送信する、圧力補助システム。
【請求項８】
請求項１に記載の圧力補助システムであり、前記ガスフロー生成システム制御装置がさらに、前記プロセッサが前記第１の誘導コイルと電気的に通じているトランスミッタを含むプロセッサを含み、前記入力要素が前記トランスミッタから複数の異なる状態の１つを含む制御シグナルを、前記第１の誘導コイルと前記第３の誘導コイルとの間の誘導結合及び前記第３誘導コイルと前記第２の誘導コイルとの間の誘導結合を介して受け取り、及び前記入力要素が前記制御シグナルの前記異なる状態に異なるように応じるように構成される、圧力補助システム。
【請求項９】
請求項１に記載の圧力補助システムであり、
前記チューブがさらに第１の端部、反対側の第２の端部、及びさらに前記第１の端部と前記第２の端部の間に設けられるスイベルコンポーネントを含み、
前記スイベルコンポーネントが、前記第１のスイベル端部と反対側の第２のスイベル端部及びそれらの間のスイベル部材を含み、
前記チューブが前記第１の端部及び前記第１のスイベル端部の間に設けられる第１の細長いチューブ、かつ前記第２の端部と前記第２のスイベル端部の間に設けられる第２の細長いチューブを含み、かつ
さらに前記チューブの前記第１の端部の回りに巻かれる第４の誘導コイル、前記第１の細長いチューブの回りに巻かれる第５の誘導コイル、前記スイベルコンポーネントの回りに巻かれる第６の誘導コイル、前記第２の細長いチューブの回りに巻かれる第７の誘導コイル及び前記チューブの第２の端部の回りに巻かれる第８の誘導コイルを含み、
前記第４の誘導コイルが前記第５の誘導コイルと電気的に接続されず、前記第５の誘導コイルが前記第６の誘導コイルと電気的に接続されず、前記第６の誘導コイルが前記第７の誘導コイルと電気的に接続されず、かつ前記第７の誘導コイルが前記第８の誘導コイルと電気的に接続されない、圧力補助システム。
【請求項１０】
請求項９に記載の圧力補助システムであり、さらに、前記第１のスイベル端部の回りに巻かれる第９の誘導コイル及び前記第２のスイベル端部の回りに巻かれる第１０の誘導コイルを含む、圧力補助システム。
【請求項１１】
請求項９に記載の圧力補助システムであり、前記第６の誘導コイルが、前記スイベルコンポーネントの前記第１の端部の周りに巻かれる第１の誘導コイル部、前記スイベルコンポーネントの前記反対側の第２の端部の回りに巻かれる第２の誘導コイルを含み、かつ前記第１の誘導コイル部を前記第２の誘導コイル部に電気的に接続される電気スリップ接続を含む、圧力補助システム。
【請求項１２】
請求項１に記載の圧力補助システムであり、前記第３の誘導コイルが、前記チューブにより運ばれるガスフローへ熱を生成するように構成される、圧力補助システム。
【請求項１３】
請求項１に記載の圧力補助システムであり、前記チューブが壁を持つ管であり、前記第３の誘導コイルの少なくとも一部分が前記壁に埋め込まれるか接着されている、圧力補助システム。
【請求項１４】
患者にガスフローを与える方法であり、前記方法は：
第１の誘導コイルと入力要素を含む患者インタフェース装置を採用し；
第２の誘導コイルを持つガスフロー生成システムからガスフローを適用し；
前記ガスフロー生成システムから前記患者インタフェースへのガスフローを、前記ガスフロー生成システムから前記患者インタフェース装置間に結合される細長い長さを持つ細長いチューブを含むチューブを介して流通させ、前記チューブが前記細長い長さに沿って前記細長いチューブに結合される第３の誘導コイルを含み；及び
前記ガスフロー生成システム内の前記入力要素と制御装置間にパワー、シグナル又は両方を、第１及び第３の誘導コイルの間、及び第２の誘導コイル及び第３の誘導コイルとの間で誘導結合を介して伝達する、方法。
【請求項１５】
請求項１４に記載の方法であり、さらに、前記チューブ内で運ばれる前記ガスフローを温める熱生成第３の誘導コイルを含む、方法。
【国際調査報告】
2013509228.tif 000013
2013509228.tif 000014
2013509228.tif 000015
2013509228.tif 000016
2013509228.tif 000017
2013509228.tif 000018